(57)【要約】【課題】ＦＥＴの入力容量に起因する出力電圧の損失を低減することができるコンデンサマイクロホン用のインピーダンス変換器を提供する。【解決手段】コンデンサマイクロホン１０からの電気信号の出力インピーダンスを低減するインピーダンス変換器１であって、ＭＯＳ型ＦＥＴ２，６を用いたソースフォロワ回路５，８を２段に接続し、前段のソースフォロワ回路５を構成するＭＯＳ型ＦＥＴ２のドレインＤに第３のＭＯＳ型ＦＥＴ９のソースＳ・ドレインＤを介して電源線１１を接続すると共に、第３のＭＯＳ型ＦＥＴ９のゲートＧに後段のソースフォロワ回路８の出力信号線１２を接続した。【選択図】　　　　図１
2004023202.tif 000002
【特許請求の範囲】
【請求項１】
コンデンサマイクロホンからの電気信号の出力インピーダンスを低減するインピーダンス変換器であって、電界効果トランジスタ（ＦＥＴ）を用いたソースフォロワ回路を２段に接続し、前段のソースフォロワ回路を構成するＦＥＴのドレインに第３のＦＥＴのソース・ドレインを介して電源線を接続すると共に、前記第３のＦＥＴのゲートに後段のソースフォロワ回路の出力信号線を接続したことを特徴とするコンデンサマイクロホン用のインピーダンス変換器。
【発明の詳細な説明】
【０００１】
【発明の属する技術分野】
本発明は、補聴器に用いられる小型のコンデンサマイクロホンに組み込まれるコンデンサマイクロホン用のインピーダンス変換器に関する。
【０００２】
【従来の技術】
従来、補聴器に用いられるコンデンサマイクロホンからの電気信号の出力インピーダンスを低減するインピーダンス変換器としては、図２に示すように、ＦＥＴ１００を用いたソースフォロワ回路１０１が知られている。ＦＥＴ１００のゲートＧに接続されるコンデンサマイクロホン１０２に生じる電荷は、コンデンサマイクロホン１０２自体の静電容量とＦＥＴ１００の入力容量で形成されるコンデンサ回路に導かれる。このコンデンサ回路に発生する電圧によりＦＥＴ１００を駆動し、ソースＳに接続された負荷抵抗Ｒｓから電圧を出力する。従って、コンデンサマイクロホン１０２からより多くの電圧を取り出そうとする場合には、入力容量の小さなＦＥＴを選択すればよい。
【０００３】
【発明が解決しようとする課題】
しかし、従来のインピーダンス変換器においては、コンデンサマイクロホン１０２からより多くの電圧を得るために入力容量の小さなＦＥＴ１００を選択しなければならず、入手が容易な汎用ＦＥＴを用いることができないという問題がある。
【０００４】
本発明は、従来の技術が有するこのような問題点に鑑みてなされたものであり、その目的とするところは、ＦＥＴの入力容量に起因する出力電圧の損失を低減することができるコンデンサマイクロホン用のインピーダンス変換器を提供しようとするものである。
【０００５】
【課題を解決するための手段】
上記課題を解決すべく本発明は、コンデンサマイクロホンからの電気信号の出力インピーダンスを低減するインピーダンス変換器であって、電界効果トランジスタ（ＦＥＴ）を用いたソースフォロワ回路を２段に接続し、前段のソースフォロワ回路を構成するＦＥＴのドレインに第３のＦＥＴのソース・ドレインを介して電源線を接続すると共に、前記第３のＦＥＴのゲートに後段のソースフォロワ回路の出力信号線を接続した。
【０００６】
【発明の実施の形態】
以下に本発明の実施の形態を添付図面に基づいて説明する。ここで、図１は本発明に係るコンデンサマイクロホン用のインピーダンス変換器の回路図である。
【０００７】
図１に示すように、本発明に係るコンデンサマイクロホン用のインピーダンス変換器１は、ＭＯＳ型ＦＥＴ（金属酸化物半導体型電界効果トランジスタ）２と抵抗３，４からなる前段のソースフォロワ回路５と、ＭＯＳ型ＦＥＴ６と抵抗７からなる後段のソースフォロワ回路８と、ＭＯＳ型ＦＥＴ９を備えている。なお、１０は補聴器用のコンデンサマイクロホン、１１は電源線、１２は出力信号線、１３はグランド線である。
【０００８】
また、ＭＯＳ型ＦＥＴ２のゲートＧと、ＭＯＳ型ＦＥＴ２のソースＳと、ＭＯＳ型ＦＥＴ６のソースＳは、それぞれ抵抗３（Ｒｇ），４（Ｒｓ１），７（Ｒｓ２）によりグランド線１３に接続されている。
【０００９】
更に、ＭＯＳ型ＦＥＴ２のドレインＤがＭＯＳ型ＦＥＴ９のソースＳ・ドレインＤを介して電源線１１に接続されると共に、ＭＯＳ型ＦＥＴ９のゲートＧが後段のソースフォロワ回路８の出力信号線１２に接続されている。また、ＭＯＳ型ＦＥＴ６のドレインＤが電源線１１に接続されている。
【００１０】
前段のソースフォロワ回路５は、ＭＯＳ型ＦＥＴ２のゲートＧとグランド線１３に接続された抵抗３（Ｒｇ）によって決定される極めて高い入力インピーダンスに維持される。
【００１１】
また、ＭＯＳ型ＦＥＴ２及びＭＯＳ型ＦＥＴ６の動作点は、抵抗４（Ｒｓ１）及び抵抗７（Ｒｓ２）によって最適化されると同時に、抵抗３（Ｒｇ）に比べて低いインピーダンスに設定されるため、後段のソースフォロワ回路８と相俟って、インピーダンス変換器１は高入力インピーダンス、低出力インピーダンスの増幅器として動作する。
【００１２】
以上のように構成した本発明に係るコンデンサマイクロホン用のインピーダンス変換器１の動作について説明する。
音響信号がコンデンサマイクロホン１０で電気信号に変換され、得られた電気信号（入力信号）が前段のソースフォロワ回路５のＭＯＳ型ＦＥＴ２に入力されて電圧増幅される。
【００１３】
増幅された入力信号は、ＭＯＳ型ＦＥＴ２のゲートＧとグランド線１３を接続する抵抗３（Ｒｇ）により低いインピーダンスに変換され、更に後段のソースフォロワ回路８において利用可能なインピーダンスに変換される。
【００１４】
後段のソースフォロワ回路８で得られた出力信号の一部は、正帰還回路を構成するＭＯＳ型ＦＥＴ９のゲートＧに加えられる。ＭＯＳ型ＦＥＴ９のゲートＧの電圧はＭＯＳ型ＦＥＴ２のゲートＧに加えられた交流信号と同相となるため、ＭＯＳ型ＦＥＴ９のドレインＤの電位とゲートＧの電位を同相で偏移させる。
【００１５】
図２に示すように、従来のソースフォロワ回路１０１では、ゲートＧの電位に対してＦＥＴ１００に供給される電源電圧が固定であるため、ＦＥＴ１００のゲートＧ周囲の寄生コンデンサで充放電が繰り返されて入力信号が損失を受けてしまう。
【００１６】
しかし、本発明に係るインピーダンス変換器１では、寄生コンデンサの充放電に必要な電位差を正帰還回路で打ち消すことにより、コンデンサマイクロホン１０に発生する微小な電荷（入力信号）を有効にインピーダンス変換することができる。
【００１７】
なお、ＭＯＳ型ＦＥＴ２、ＭＯＳ型ＦＥＴ６、ＭＯＳ型ＦＥＴ９の特性は、等しい必要はない。また、抵抗３（Ｒｇ）、抵抗４（Ｒｓ１）、抵抗７（Ｒｓ２）の抵抗値も等しい必要はない。
【００１８】
【発明の効果】
以上説明したように本発明によれば、コンデンサマイクロホンに発生する微小な電荷（入力信号）を有効にインピーダンス変換することができる。
【図面の簡単な説明】
【図１】本発明に係るコンデンサマイクロホン用のインピーダンス変換器の回路図
【図２】従来のコンデンサマイクロホン用のインピーダンス変換器の回路図
【符号の説明】
１…インピーダンス変換器、２，６，９…ＭＯＳ型ＦＥＴ、３，４，７…抵抗、５，８…ソースフォロワ回路、１０…コンデンサマイクロホン、１１…電源線、１２…出力信号線、１３…グランド線。
【図１】
2004023202.tif 000003
【図２】
2004023202.tif 000004